(57)【要約】【課題】分割脚片を有するクリップ部と脚片を広げるピン体とを具備した連結具において、部材同士を確実に一体に連結することができ、連結を解除するときは、ピン体をクリップ部から簡単に抜き取ることができるようにする。【解決手段】指で摘むことのできる摘み片を、ピン体の上面にヒンジ部を介して起倒自在に設ける。留め付けたクリップ部を取り外すためにピン体を抜き取るときは、倒れた摘み片を引き起こしてピン体上面上で起立させ、そのまま摘み片を摘んでピン体を上方へ引き上げる。【選択図】図６
2006002884.tif 000002
【特許請求の範囲】
【請求項１】
開口を有する鍔形の頭部の下部に縦に割れた脚片を突設してなるクリップ部同士が連結部を介して一体化された結合体と、前記クリップ部の開口に挿入されるピン体からなり、部材に形成された取付孔に差込んだクリップ部にピン体を押し入れることにより脚片を開脚拡径させてクリップ部を部材に留め付ける連結具において、
前記ピン体の上面に起倒自在な摘み片を設けたことを特徴とする連結具。
【発明の詳細な説明】
【技術分野】
【０００１】
本発明は、部材同士を連結させるために用いるプラスチック製の連結具に関する。
【背景技術】
【０００２】
隣接配置した部材同士を一体に連結する連結具として、図７に示されるように、開口７２ａを有する鍔形の頭部７２ｂの下部に、縦に割れた脚片７２ｃが突設されてなるクリップ部７２、７２を有する結合体７１と、クリップ部７２の開口７２ａに挿入可能な大きさのピン体７３、７３とからなり、連結すべき部材７４、７４に結合体１を架け渡して両部材に形成された取付孔７４ａ、７４ａにクリップ部７２、７２を差込み、ピン体７３、７３を両クリップ部の開口７２ａ、７２ａに押し入れ、両クリップ部の脚片７２ｃ、７２ｃをピン体で開脚拡径させてクリップ部７２、７２を取付孔７３、７３に嵌合させて留め付けることにより、部材７４、７４同士を連結する構造のものが知られている。図示した連結具は、一方のクリップ部７２の頭部７２ｂに板状の連結部７１ａを一体に成形するとともに、他方のクリップ部７２の頭部７２ｂを連結部７１ａに重ね合わさる大きさに形成し、当該他方のクリップ部７２を連結部７１ａに形成された長孔７１ｂに嵌め入れてクリップ部同士が一体化するように設けたものである（例えば特許文献１参照）。
【０００３】
【特許文献１】実公平５−４７２８７号公報
【発明の開示】
【発明が解決しようとする課題】
【０００４】
プールの水深を調整するためにプールの底に設置されるプール用床同士の連結に前記従来の連結具を用いた場合、結合体７１とピン体７３がプール用床の床面に略面一に収まり、床面上に凹凸を作らずに床同士を連結することが可能である。
しかし、床同士の連結を解除するために連結具を取り外す際に、ピン体７３が結合体７１内にぴったりと嵌まっているためピン体７３を抜き取り難く、ピン体７３を引き抜くためにドライバなどの工具も必要となり、取り外し作業に時間と手間を要していた。ドライバの先端をピン体７３と結合体７１の接合面間に強く押し込んだ場合に、ピン体７３の頂部が割れたり変形したりして、再利用できなくなることもあった。
【０００５】
本発明は従来技術の有するこのような問題点に鑑み、分割脚片を有するクリップ部とクリップ部内に押し入れて脚片を広げるピン体とを具備して構成される連結具において、部材同士を確実に連結することができるとともに、連結を解除するときには、ピン体をクリップ部から簡単に抜き取ることができるようにすることを課題とする。
【課題を解決するための手段】
【０００６】
前記課題を解決するため本発明は、開口を有する鍔形の頭部の下部に縦に割れた脚片を突設してなるクリップ部同士が連結部を介して一体化された結合体と、前記クリップ部の開口に挿入されるピン体からなり、部材に形成された取付孔に差込んだクリップ部にピン体を押し入れることにより脚片を開脚拡径させてクリップ部を部材に留め付ける連結具において、前記ピン体の上面に起倒自在な摘み片を設けたことを特徴としている。
【０００７】
これによれば、クリップ部の留め付けは、部材の取付孔内にクリップ部を差込み、このクリップ部の開口にピン体を挿入し、ピン体上面を押し込んで行うことができる。留め付けたクリップ部を取り外すためにピン体を抜き取るときは、倒れた摘み片を引き起こしてピン体上に起立させ、そのまま摘み片を指で摘んでピン体を上方へ引き上げれば、工具を用いることなく、容易な作業でピン体をクリップ部から抜き取ることができる。
【０００８】
前記構成において、摘み片の端部には、ピン体上面部との係合部位を設けておき、ピン体を抜き取るとき以外は、摘み片がピン体上面に重なり倒れた状態が維持されるように設けることが好ましい。結合体とピン体は、汎用の樹脂材料を用いて薄肉に成形することが好ましく、ピン体は耐折曲特性に優れたＰＰを用いることがより好ましい。
【発明を実施するための最良の形態】
【０００９】
本発明の好適な一実施形態を図面を参照して説明する。
図１は本発明の一実施形態の連結具の外観図、図２は結合体の断面図、図３は摘み片を引き起こした状態のピン体の外観図、断面図及び摘み片を倒した状態のピン体頂部の拡大断面図、図４は他の実施形態の連結具の外観図、図５は図４の連結具を部材に留め付けた状態の断面図、図６は本発明の連結具で部材を連結するときとピン体を抜き取るときの操作の過程を示した図であり、図中、符号１は連結具、２は結合体、３はピン体、４は連結すべき部材をそれぞれ示している。
【００１０】
図１〜図４において、連結具１は、クリップ部２１、２１を連結部２２で一体化してなる結合体２と、クリップ部２１、２１に形成された開口に着脱するピン体３、３により構成されている。
【００１１】
詳しくは、図２に示されるように、結合体２は、クリップ部２１、２１の、平面視略半円状の鍔形の頭部２１ａ、２１ａ同士を、適宜な幅の連結部２２で接続して一体に形成してある。両クリップ部２１は、その頭部２１ａの中央に開口２１ｂを有し、頭部２１ａの下部に前記開口に沿って環状に突出していてスリットにより縦に四分割された脚片２１ｃを一体に設けて形成してある。各脚片２１ｃは、その下部を上部よりも厚肉とし且つ内側面を内方へ膨出させて開口径を小さくしてあり、ピン体３を開口２１ｂ内に挿入するのに伴い、ピン体３の周面に各脚片２１ｃの下部が当接して各々側方に開脚し、脚片２１ｃの外径が拡大するようになっている。また、頭部２１ａの上面縁部には、後述する摘み片３３を引き起こすための凹面２１ｄを形成してある。
【００１２】
ピン体３は、その頂部３１が、前記クリップ部２１の頭部２１ａに重ね合わさる大きさを有する平面視略半円状の鍔形をなし、当該頂部の下部中央に、前記クリップ部２１の開口２１ｂに略一杯に挿入する太さの軸部３２を一体に突出させて形成してある。軸部３２は、その下部外周面に前記脚片２１ｃの内面が係合するネジ溝３２ａが形成してあり、下端部は先細り状としてある。
【００１３】
また、図３に示されるように、ピン体３の頂部３１の上面には、起立及び倒伏自在な摘み片３３を設けてある。
より詳しくは、ピン体３の頂部３１は、その湾曲した側の側端部から上面中央に亘って上下に二分されているとともに当該上面中央に設けたヒンジ部３４で上半部３１ａの端部が下半部３１ｂに接続されて、ヒンジ部３４を支点として上半部３１ａが下半部３１ｂ上で起倒及び倒伏し得るようになっており、この上半部３１ａを、その湾曲した縁部下面に沿って突片３３ａを設けて指で摘むことのできる摘み片３３としてある。前記ヒンジ部３４は、上半部３１ａと下半部３１ｂの接続部分の厚みを筋状に薄肉として折曲変形可能にしたものであり、頂部３１の略中央であって前記軸部３２の中心を通る線上に配置してある。また、摘み片３３の縁部に設けた突片３３ａの内側と、下半部３１ｂの湾曲した縁部の外側はそれぞれ逆テーパ面としてあり、同図（Ｃ）に示されるように、摘み片３３を倒伏させたときに、突片３３ａ内側と下半部３１ｂ外側のテーパ面同士が係合し、倒伏した摘み片３３が下半部３１ｂに重なった状態で固定されるようになっている。また、この状態から突片３３ａを下側から押せば、テーパ面同士の係合が外れ、摘み片３３を頂部３１上に起立させることができるようになっている。
【００１４】
図４及び図５に示された連結具１は、前記形態とは結合体２の形状が異なるものであり、図示されるように、この形態の結合体２は、一方のクリップ部２１を頭部２１ａの側端に平面視略半円状の連結部２２を突設して形成し、他方のクリップ部２１を、これとは別体で、開口２１ｂを有する平面視略半円状の頭部２１ａに分割脚片２１ｃを一体に突設して形成してあり、前記連結部２２の面内に形成された楕円形の開口２２ａに他方のクリップ部２１を嵌め入れることにより、両クリップ部が一体に連結するように設けたものである。両クリップ部２１の開口２１ｂ、２１ｂに着脱するピン体３、３は前記形態と同じものが用いられる。
【００１５】
次に、図６により本発明の連結具１の使用方法を説明する。
部材４への留め付けは、先ず、連結すべき部材４、４に結合体２を架け渡し、部材４、４に形成され取付孔４１、４１にクリップ部２１、２１を差込む（同図（Ａ））。
次いで、クリップ部２１、２１の開口２１ｂ、２１ｂにピン体３、３を押し入れれば（同図（Ｂ））、ピン体３の軸部３２でクリップ部２１の分割した脚片２１ｃが開脚して外径が拡大するとともに脚片２１ｃが軸部３２周面のネジ溝３２ａに係止し（同図（Ｃ））、両クリップ部２１の頭部２１ａと開脚した脚片２１ｃとで部材４を上下に挟むようにして留め付き、これにより部材４、４が一体に連結される（図５参照）。
留め付ける操作は、ピン体３の摘み片３３を倒伏させた状態で行われ、留め付けた後も、摘み片３３の突片３３ａが頂部３１の外側面に係合して、摘み片３３は頂部上面に倒れ重なった状態に固定される。
部材４、４同士の連結を解除するために連結具１を取り外すときは、ピン体３、３の頂部３１、３１に倒れ重なった摘み片３３、３３を、突片３３ａの係合を外して上方に引き起こし（同図（Ｄ））、突片３３ａを指で摘んでそのまま上方に引き上げれば、ピン体３をクリップ部２１から抜き取ることができ（同図（Ｅ））、両ピン体３を抜き取った後、結合体２を部材４、４から取り外せば部材４、４を分離することができる。
【００１６】
このように本発明の連結具１によれば、ピン体３の上面に摘み片３３を設けてあり、この摘み片３３を指で摘み上方へ引き上げるという簡単な操作で、工具を用いることなく、ピン体３をクリップ部２１から引き抜くことができる。この摘み片３３は、起倒自在に設けてあるので、ピン体３をクリップ部２１に押し込む操作の際に邪魔とならず、部材４に結合体２を留め付けた後も、摘み片３３を倒しておくことにより、部材４の上面に不要な凹凸ができることもない。
【００１７】
なお、摘み片を起倒自在に接続するヒンジ部は適宜な形状に形成することができ、また、倒れた摘み片をピン体頂部に固定する係合部位も、図示した突片と頂部外側のテーパ面同士が係合する形態以外に、互いに凹凸嵌合する形態など適宜な形態とすることができる。図示した形態では、一対のクリップ部を直線上に連結して結合体を構成したが、二つ以上のクリップ部により構成すること、屈曲した連結部でクリップ部同士を連結して構成することは、連結すべき部材の数や連結箇所の形態に応じて適宜に行われる。
【図面の簡単な説明】
【００１８】
【図１】本発明の一実施形態の連結具の外観図である。
【図２】図１に示した結合体の断面図である。
【図３】摘み片を引き起こした状態のピン体の外観図（Ａ)、断面図（Ｂ）及び摘み片を倒した状態の頭部の拡大断面図（Ｃ)である。
【図４】他の実施形態の連結具の外観図である。
【図５】図４の連結具を部材に留め付けた状態の断面図である。
【図６】（Ａ)〜（Ｅ）は本発明の連結具で部材を連結するときとピン体を抜き取るときの操作の過程を示した図である。
【図７】従来の連結具の構成を要部を破断して示した外観図（Ａ）と部材に留め付けた状態の断面図（Ｂ）である。
【符号の説明】
【００１９】
１  連結具、２  結合体、２１  クリップ部、３  ピン体、３３  摘み片
【図１】
2006002884.tif 000003
【図２】
2006002884.tif 000004
【図３】
2006002884.tif 000005
【図４】
2006002884.tif 000006
【図５】
2006002884.tif 000007
【図６】
2006002884.tif 000008
【図７】
2006002884.tif 000009